(57)【要約】【課題】編組線のシールド性能の低下を抑制する。【解決手段】３本の電線が挿入される円筒状のシールド材を適切な長さに切断し、切断したシールド材の先端を拡開し、拡開した先端部分にプレス加工（圧縮加工）を施すことによりシールド材２０ｄの素線２１ｄをシールド材２０ｄの表面（扁平な面）に沿って扁平に形成する。これにより、断面が円形の素線からなるシールド材を用いるものに比して編粗密度を高くすることができ、シールド性能の低下を抑制することができる。【選択図】図９
2012169497.tif 000002
【特許請求の範囲】
【請求項１】
素線が織られた編組線として形成され、複数本の電線を覆ってシールドするシールド部材であって、
前記素線の断面が扁平で且つ該素線の扁平な面が前記編組線の表面に沿って扁平となるよう形成されてなる
ことを特徴とするシールド部材。
【請求項２】
請求項１記載のシールド部材であって、
前記複数本の電線のコネクタ接続部分を覆う範囲の前記素線の断面が扁平となるよう形成されてなる
ことを特徴とするシールド部材。
【請求項３】
複数本の電線を覆ってシールドするシールド部材の製造方法であって、
素線が織られて形成された編組線の一部を拡げる第１の工程と、
前記拡げられた部分の素線が前記編組線の表面に沿って扁平となるようプレスする第２の工程と、
を備えるシールド部材の製造方法。
【請求項４】
請求項３記載のシールド部材の製造方法であって、
前記第１の工程は、前記複数本の電線のコネクタ接続部分を覆う範囲で前記編組線を拡げる工程であり、
前記第２の工程は、前記コネクタ接続部分を覆う範囲で前記素線が扁平となるようプレスする工程である
シールド部材の製造方法。
【請求項５】
請求項３または４記載のシールド部材の製造方法であって、
前記第２の工程は、前記第１の工程により拡げられた部分の内面と外面とに型を押し当てた状態でプレスすることにより前記素線を扁平に形成する工程である
シールド部材の製造方法。
【発明の詳細な説明】
【技術分野】
【０００１】
本発明は、素線が織られた編組線として形成され、複数本の電線を覆ってシールドするシールド部材およびその製造方法に関する。
【背景技術】
【０００２】
従来、この種のシールド部材としては、金属糸編組チューブにより形成され、この編組チューブで複数本のコア線（電線）の外周を囲むことによりシールドするものが提案されている（例えば、特許文献１参照）。このシールド部材では、先端が長円形状のシールドシェルに取り付けられており、シールドシェルをシールドケースに固定することにより、シールドケースに導通させている。
【先行技術文献】
【特許文献】
【０００３】
【特許文献１】特開２００９−１５３２８０号公報
【発明の概要】
【発明が解決しようとする課題】
【０００４】
上述したシールド部材では、先端をシールドシェルに取り付けるため、先端部で編組線を幅広に拡げる必要がある。編組線は、通常、同一径の素線が同一ピッチで編み込まれることから、拡げられた部分は編組密度が低くなり、十分なシールド効果を得ることができない場合が生じる。
【０００５】
本発明のシールド部材およびシールド部材の製造方法は、こうした問題を解決し、編組線のシールド性能の低下を抑制することを主目的とする。
【課題を解決するための手段】
【０００６】
本発明のシールド部材およびシールド部材の製造方法は、上述の主目的を達成するために以下の手段を採った。
【０００７】
本発明のシールド部材は、
素線が織られた編組線として形成され、複数本の電線を覆ってシールドするシールド部材であって、
前記素線の断面が扁平で且つ該素線の扁平な面が前記編組線の表面に沿って扁平となるよう形成されてなる
ことを要旨とする。
【０００８】
この本発明のシールド部材では、素線が織られた編組線として形成し、素線の断面が扁平で且つ素線の扁平な面が編組線の表面に沿って扁平となるよう形成する。これにより、素線の断面が円形のものに比して、編組密度を高くすることができるから、シールド性能を良好なものとすることができる。
【０００９】
こうした本発明のシールド部材において、前記複数本の電線のコネクタ接続部分を覆う範囲の前記素線の断面が扁平となるよう形成されてなるものとすることができる。
【００１０】
本発明のシールド部材の製造方法は、
複数本の電線を覆ってシールドするシールド部材の製造方法であって、
素線が織られて形成された編組線の一部を拡げる第１の工程と、
前記拡げられた部分の素線が前記編組線の表面に沿って扁平となるようプレスする第２の工程と、
を備えることを要旨とする。
【００１１】
この本発明のシールド部材の製造方法によれば、素線が織られて形成された編組線の一部を拡げ、拡げた部分の素線が編組線の表面に沿って扁平となるようプレスする。これにより、素線の断面が円形のものに比して、編組密度を高くすることができるから、シールド性能を良好なものとすることができる。
【００１２】
こうした本発明のシールド部材の製造方法において、前記第１の工程は、前記複数本の電線のコネクタ接続部分を覆う範囲で前記編組線を拡げる工程であり、前記第２の工程は、前記コネクタ接続部分を覆う範囲で前記素線が扁平となるようプレスする工程であるものとすることができる。
【００１３】
また、本発明のシールド部材の製造方法において、前記第１の工程により拡げられた部分の内面と外面とに型を押し当てた状態でプレスすることにより前記素線を扁平に形成する工程であるものとすることができる。こうすれば、素編の比較的容易に扁平にすることができる。
【図面の簡単な説明】
【００１４】
【図１】本発明のシールド部材２０を含むハーネス１０の外観図である。
【図２】図１のハーネス１０のＡ−Ａ断面図である。
【図３】図１のハーネス１０のＢ−Ｂ断面図である。
【図４】シールド製造工程の一例を示す説明図である。
【図５】シールド部材２０の製造の様子を示す説明図である。
【図６】先端拡げ加工の様子を示す説明図である。
【図７】プレス加工の様子を示す説明図である。
【図８】プレス加工前の図７のシールド材２０ｃのＣ−Ｃ断面図である。
【図９】プレス加工後の図７のシールド材２０ｄのＤ−Ｄ断面図である。
【図１０】プレス加工前後の素線断面を示す説明図である。
【図１１】シールド部材２０の組み付けの様子を示す説明図である。
【発明を実施するための形態】
【００１５】
次に、本発明を実施するための形態を実施例を用いて説明する。
【実施例】
【００１６】
図１は、本発明の一実施例としてのシールド部材２０を含むハーネス１０の外観図であり、図２は、図１のハーネス１０のＡ−Ａ断面図であり、図３は、ハーネス１０のＢ−Ｂ断面図である。
【００１７】
ハーネス１０は、図１に示すように、３本の電線３０Ｕ，３０Ｖ，３０Ｗと、３本の電線３０Ｕ，３０Ｖ，３０Ｗの電極端子３２Ｕ，３２Ｖ，３２Ｗを有するコネクタ部３４（図１では一端側のみ図示したが、他端側も同様に形成する。）と、３本の電線３０Ｕ，３０Ｖ，３０Ｗの外周を覆って一括してシールドする実施例のシールド部材２０と、シールド部材２０を被覆する樹脂製の外装部２８とにより構成されている。このハーネス１０は、実施例では、走行用のモータを備える電気自動車に搭載され、直流電力をインバータにより三相交流電力に変換してモータに供給することによりモータを駆動する駆動ユニットにおける、インバータとモータとを電気的に接続する高圧ハーネスとして用いられる。
【００１８】
実施例のシールド部材２０は、所定径の素線を所定ピッチで編み込んでなる円筒状の編組線（図２参照）を用いて構成されており、端部が拡げられて幅広（扁平）に形成されている（図３参照）。図４は、シールド部材２０の製造工程の一例を示す説明図である。以下、シールド部材２０の製造工程を、図５に示すシールド部材２０の製造の様子を参照しながら説明する。
【００１９】
シールド部材２０の製造工程は、まず、編組線により形成された円筒状のシールド材２０ａ（図５（ａ）参照）を必要な長さに切断してシールド材２０ｂ（図５（ｂ）参照）を形成し（工程Ｓ１００）、シールド材２０ｂの一端側の先端を拡開する先端拡げ加工を行なってシールド材２０ｃ（図５（ｃ）参照）を形成する（工程Ｓ１１０）。図６に、先端拡げ加工の様子を示す。先端拡げ加工は、図示するように、シールド材２０ｂの円筒内部を円錐形状の治具４０の円錐先端に押し込むことにより行なわれる。
【００２０】
先端拡げ加工が行なわれると、次に、シールド材２０ｃの拡げられた先端部分にプレス加工を施すことによりシールド材２０ｄ（図５（ｄ）参照）を形成する（工程Ｓ１２０）。図７に、プレス加工の様子を示す。プレス加工は、図７に示すように、シールド材２０ｃの拡開の傾斜に沿った傾斜面を有する外型５０ａ，５０ｂを側方両側から押し当てると共にシールド材２０ｃの先端部分の円筒内部に底面が長円形（或いは矩形）で且つ側面がシールド材２０ｃの円筒内部の傾斜に沿った傾斜角度の円錐形（或いは角錐形）の内型５２を押し当てた状態で上方から圧縮加工することにより行なわれる。図８は、図７のシールド材２０ｃのＣ−Ｃ断面図であり、図９は、図７のシールド材２０ｄのＤ−Ｄ断面図である。図示するように、編組線を構成する断面が円形の素線２１ｃは圧縮加工により潰されて断面が扁平な長円形の素線２１ｄとなり、素線２１ｄの扁平な面は素線２１ｄの集合体としてのシールド材２０ｄ（編組線）の扁平な面と略平行となる。したがって、プレス加工後のシールド材２０ｄはプレス加工前のシールド材２０ｃに比して網目の隙間は狭くなり、厚みは薄くなる。
【００２１】
図１０は、プレス加工前後の素線断面を示す説明図である。なお、図１０では、説明を容易とするため、プレス加工後の素線２１ｄの断面を矩形として考えている。プレス加工前の素線２１ｃの面積を「Ｓ１」とし、プレス加工後の素線２１ｄの面積を「Ｓ２」とすると、式（１）が成り立つ。いま、素線２１ｃをその幅（２ｒ）が半分となるまでプレス加工して潰すことを考えると、プレス加工後の素線２１ｄの幅はｒとなるから、高さｈは式（１）の関係を用いて式（２）により計算することができる。したがって、シールド材２０ｄの編組密度はシールド材２０ｃよりも約１．５７（＝ｈ／２ｒ）倍増加するため、編組線を拡開するものとしても、シールド性能は低下しない。
【００２２】
S1=S2  (1)
h=3.14×r  (2)
【００２３】
プレス加工が行なわれると、シールド材２０ｄの端部をシールドシェル２４の外周に被せ、その外周にカシメリングを取り付けてカシメにより接合するカシメ加工を行なってシールド材２０ｅを形成する（工程Ｓ１３０）。
【００２４】
こうして一端側の先端拡げ加工とプレス加工とカシメ加工とが行なわれると、他端側も同様に、先端拡げ加工によるシールド材の拡開とプレス加工による素線の潰しとカシメ加工によるシールドシェル２６の取り付けとを順次行なって（工程Ｓ１４０〜Ｓ１６０）、シールド部材２０が完成する。
【００２５】
なお、ハーネス１０は、図１１に示すように、シールド部材２０（図１１（ａ）参照）の円筒内部に３本の電線３０Ｕ，３０Ｖ，３０Ｗを挿入し（図１１（ｂ）参照）、シールド部材２０の外周に絶縁樹脂層である外装部２８を取り付けると共に端部にコネクタ部３４を取り付けて（図１１（ｃ）参照）、完成する。なお、実施例では、シールドシェル２４はモータを収容する図示しないモータケースに固定されてシールド部材２０とモータケースとを電気的に接続し、シールドシェル２６はインバータを収容する図示しないインバータケースに固定されてシールド部材２０とインバータケースとを電気的に接続する。
【００２６】
以上説明した実施例のシールド部材２０によれば、シールド材２０ｂの先端を拡開し、拡開した先端部分にプレス加工（圧縮加工）を施すことによりシールド材２０ｄの素線２１ｄをシールド材２０ｄの表面（扁平な面）に沿って扁平に形成するから、円形の素線２１ｃからなるシールド部材２０ｃを用いるものに比してシールド部材２０の編粗密度を高くすることができ、シールド性能の低下を抑制することができる。しかも、先端が拡開されたシールド部材２０ｃに対してプレス加工を施すだけでよいから、シールド部材２０の生産性を低下させることがない。
【００２７】
実施例のシールド部材２０では、シールド材２０ｃに外型５０ａ，５０ｂを側方両側から押し当てると共にシールド材２０ｃの先端部分の円筒内部に内型５２を押し当てた状態で圧縮加工することにより扁平な素線２１ｄを形成するものとしたが、扁平な素線２１ｄを形成することができれば、如何なる手法によるものとしてもよい。
【００２８】
実施例では、図４の工程図に示すように、シールド材２０ｂの一端側に対して先端拡げ加工とプレス加工とカシメ加工とを順に行なってから他端側に対しても同様の先端拡げ加工とプレス加工とカシメ加工とを順に行なうものとしたが、工程順序はこれに限られず、シールド材２０ｂの一端側の先端拡げ加工，他端側の先端拡げ加工，シールド材２０ｃの一端側のプレス加工，他端側のプレス加工，シールド材２０ｄの一端側のカシメ加工，他端側のカシメ加工の順に行なうものとしてもよい。
【００２９】
実施例では、本発明のシールド部材２０を、電気自動車に搭載されたモータ駆動ユニットにおけるインバータと走行用モータとを電気的に接続する高圧ハーネスに適用するものとしたが、これに限られるものではなく、複数本の電線を覆ってシールドするものであれば、如何なるものにも適用可能である。
【００３０】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００３１】
本発明は、シールド部材の製造産業に利用可能である。
【符号の説明】
【００３２】
１０  ハーネス、２０  シールド部材、２０ａ〜２０ｅ  シールド材、２１  素線、２４，２６  シールドシェル、２８  外装部、３０Ｕ，３０Ｖ，３０Ｗ  電線、３２Ｕ，３２Ｖ，３２Ｗ  電極端子、３４  コネクタ部、４０  治具、５０ａ，５０ｂ  外型、５２  内型。
【図１】
2012169497.tif 000003
【図２】
2012169497.tif 000004
【図３】
2012169497.tif 000005
【図４】
2012169497.tif 000006
【図５】
2012169497.tif 000007
【図６】
2012169497.tif 000008
【図７】
2012169497.tif 000009
【図８】
2012169497.tif 000010
【図９】
2012169497.tif 000011
【図１０】
2012169497.tif 000012
【図１１】
2012169497.tif 000013